(57)【特許請求の範囲】
【請求項１】
行列状に配列された、第１及び第２サブ画素を含む複数の画素、
前記第１サブ画素に接続された、第１ゲートオン電圧を伝達する複数の第１ゲート線、
前記第２サブ画素に接続された、第２ゲートオン電圧を伝達する複数の第２ゲート線、及び
前記第１及び第２サブ画素に各々接続されて第１及び第２データ電圧を伝達する複数のデータ線
を含み、
一つの前記画素に含まれる前記第１及び第２サブ画素はいずれも同じ一つの前記データ線に接続され、
前記各画素の第１及び第２サブ画素に各々印加される前記第１及び第２データ電圧は一つの映像情報から得られ、前記第１データ電圧は前記第２データ電圧より低くなく、
１フレームの間に、１つの画素行ずつ順次正規映像をＮ行分（Ｎは自然数）表示した後、前記Ｎ行分のブラック映像を一度に表示することを繰り返すインパルス駆動方式において、前記正規映像を表示する期間においては、前記第１データ電圧を前記データ線に充電する前に前記第２データ電圧を前記データ線に充電することにより前記第２サブ画素に前記第２データ電圧を印加し、その後前記第１データ電圧を前記データ線に充電することにより前記第１サブ画素に前記第１データ電圧を印加し、
前記ブラック映像を表示する期間においては、前記ブラック映像を表示するためのインパルスデータ電圧を前記データ線に充電した後、所定の期間、前記第１データ電圧を前記データ線に充電することを特徴とする表示装置。
【請求項２】
前記第１データ電圧が充電される前記所定の期間は、前記インパルスデータ電圧が前記データ線に印加された水平周期のブランク区間から開始することを特徴とする請求項１に記載の表示装置。
【請求項３】
前記インパルスデータ電圧は、前記複数のデータ線にそれぞれ接続された複数の出力端子を備えて前記複数の出力端子を介して前記複数のデータ線にデータ電圧を印加するデータ駆動部において、前記複数の出力端子をそれぞれ接続することにより、前記複数のデータ線に印加されることを特徴とする請求項１に記載の表示装置。
【請求項４】
前記インパルスデータ電圧が前記データ線に印加されるとき、前記Ｎ行の複数の画素に各々接続された前記第１及び第２ゲート線に前記第１及び第２ゲートオン電圧を同時に各々印加することを特徴とする請求項１に記載の表示装置。
【請求項５】
前記第１ゲートオン電圧の印加時間と前記第２ゲートオン電圧の印加時間とは少なくとも一部分が重畳することを特徴とする請求項１に記載の表示装置。
【請求項６】
前記第２ゲートオン電圧の印加時間は前記第１ゲートオン電圧の印加時間より短いことを特徴とする請求項１に記載の表示装置。
【請求項７】
互いに異なる第１及び第２階調電圧集合を生成し、前記映像情報に該当する階調電圧を前記第１及び第２階調電圧集合から各々選択して、前記第１及び第２データ電圧として前記第１及び第２サブ画素に各々印加することを特徴とする請求項１に記載の表示装置。
【発明の詳細な説明】
【技術分野】
【０００１】
本発明は表示装置及びその駆動方法に関する。
【背景技術】
【０００２】
一般的な液晶表示装置（ｌｉｑｕｉｄ  ｃｒｙｓｔａｌ  ｄｉｓｐｌａｙ、ＬＣＤ）は、画素電極及び共通電極を有する二つの表示板と、その間に入っている誘電率異方性（ｄｉｅｌｅｃｔｒｉｃ  ａｎｉｓｏｔｒｏｐｙ）を有する液晶層とを含む。画素電極は行列状に配列されていて、薄膜トランジスタ（ＴＦＴ）などスイッチング素子に接続されて一行ずつ順次、データ電圧が印加される。共通電極は表示板の全面にわたって形成されていて、共通電圧が印加される。画素電極と共通電極及びその間の液晶層は、回路的に見れば液晶キャパシタをなし、液晶キャパシタはこれに接続されたスイッチング素子と共に画素をなす基本単位となる。
【０００３】
このような液晶表示装置においては、二つの電極に電圧を印加して液晶層に電界を生成し、この電界の強さを調節して液晶層を通過する光の透過率を調節することによって、所望の画像を得る。この時、液晶層に一方向の電界が長期間印加されることによって発生する劣化現象を防止するために、フレーム別に、行別に、または画素別に共通電圧に対するデータ電圧の極性を反転させる。
【０００４】
一方、液晶表示装置はホールドタイプ（ｈｏｌｄ  ｔｙｐｅ）の表示装置であるので、動映像を表示する際に物体の輪郭（ｅｄｇｅ）が鮮明でなく、ぼけることがあり、これをブラリング（ｂｌｕｒｒｉｎｇ）現象という。ブラリング現象をなくすために、所望の正規映像を表示しながらその中間にブラック映像を表示するインパルス駆動方式が開発された。ところが、Ｎ行間隔で正規映像を表示しながらその間にブラック映像を表示するインパルス駆動方式の場合、Ｎ行ごとに画素行の充電率が異なるため、Ｎ行ごとに横線が現われることがある。
【発明の開示】
【発明が解決しようとする課題】
【０００５】
そこで、本発明が解決しようとする技術的課題は、ブラリング現象及び横線不良のような画質低下を防止することができる表示装置及びその駆動方法を提供することにある。
【課題を解決するための手段】
【０００６】
このような技術的課題を達成するための本発明の一実施形態による表示装置は、行列状に配列された、第１及び第２サブ画素を含む複数の画素、前記第１サブ画素に接続された、第１ゲートオン電圧を伝達する複数の第１ゲート線、前記第２サブ画素に接続された、第２ゲートオン電圧を伝達する複数の第２ゲート線、及び前記第１及び第２サブ画素に接続されて第１及び第２データ電圧を伝達する複数のデータ線を含み、一つの前記画素に含まれる前記第１及び第２サブ画素はいずれも同じ一つの前記データ線に接続され、前記各画素の第１及び第２サブ画素に各々印加される前記第１及び第２データ電圧は一つの映像情報から得られ、前記第１データ電圧は前記第２データ電圧より低くなく、１フレームの間に、１つの画素行ずつ順次正規映像をＮ行分（Ｎは自然数）表示した後、前記Ｎ行分のブラック映像を一度に表示することを繰り返すインパルス駆動方式において、前記正規映像を表示する期間においては、前記第１データ電圧を前記データ線に充電する前に前記第２データ電圧を前記データ線に充電することにより前記第２サブ画素に前記第２データ電圧を印加し、その後前記第１データ電圧を前記データ線に充電することにより前記第１サブ画素に前記第１データ電圧を印加し、前記ブラック映像を表示する期間においては、前記ブラック映像を表示するためのインパルスデータ電圧を前記データ線に充電した後、所定の期間、前記第１データ電圧を前記データ線に充電する。
【０００７】
前記第２データ電圧を前記データ線にプリチャージする前にインパルスデータ電圧を前記データ線に印加することがのぞましい。
【０００８】
前記第２データ電圧のプリチャージは、少なくとも２水平周期ごとに行われることがのぞましい。
【０００９】
前記第２データ電圧のプリチャージは、前記インパルスデータ電圧が印加された水平周期のブランク区間から開始することがのぞましい。
【００１０】
前記インパルスデータ電圧は、前記データ線を互いに接続して得ることがのぞましい。
【００１１】
前記インパルスデータ電圧が前記データ線に印加されれば、複数の画素行の第１及び第２ゲート線に前記第１及び第２ゲートオン電圧を同時に各々印加することがのぞましい。
【００１２】
前記第１ゲートオン電圧の印加時間と前記第２ゲートオン電圧の印加時間とは少なくとも一部分が重畳（オーバーラップ）することがのぞましい。
【００１３】
前記第１ゲートオン電圧の印加時間は前記第２ゲートオン電圧の印加時間より短いことがのぞましい。
【００１４】
互いに異なる第１及び第２階調電圧集合を生成し、前記映像情報に該当する階調電圧を前記第１及び第２階調電圧集合から各々選択して、前記第１及び第２データ電圧として前記第１及び第２サブ画素に各々印加することがのぞましい。
【００１５】
第１のＭ個（Ｍは自然数）の画素行の第１及び第２サブ画素に前記第１のＭ個の画素行の第１及び第２データ電圧を交互に順次に各々印加した後、第２のＭ個（Ｍは自然数）の画素行の第１及び第２サブ画素にインパルスデータ電圧を同時に印加することができる。
【００１６】
前記第２のＭ個の画素行の第１及び第２サブ画素に前記インパルスデータ電圧を印加した後、前記第２データ電圧を前記データ線にプリチャージすることがのぞましい。
【００１７】
前記第１及び第２ゲート線に接続されて前記第１及び第２ゲートオン電圧を印加するゲート駆動部、前記データ線に接続されて前記第１及び第２データ電圧とインパルスデータ電圧を印加するデータ駆動部、及び前記データ駆動部と前記ゲート駆動部を制御する信号制御部をさらに含むことがのぞましい。
【００１８】
前記データ駆動部は、前記インパルスデータ電圧を印加した時点から１水平周期以内に前記第２データ電圧を前記データ線にプリチャージし始めることがのぞましい。
【００１９】
前記信号制御部は、１水平周期ごとに水平同期開始信号のパルスを前記データ駆動部に伝送するが、所定数の水平周期ごとに前記水平同期開始信号のパルスを省略することがのぞましい。
【００２０】
前記信号制御部は、極性信号の電圧レベルを変えた後に前記水平同期開始信号のパルスを省略することがのぞましい。
【００２１】
前記データ駆動部は、前記データ線に接続されている複数の出力端子を有し、前記水平同期開始信号のパルスが省略された水平周期で前記出力端子を互いに接続することがのぞましい。
【００２２】
本発明の他の特徴による表示装置の駆動方法は、第１及び第２サブ画素を含む複数の画素、前記第１及び第２サブ画素に各々接続されている複数の第１及び第２ゲート線、及び前記第１及び第２サブ画素に接続されている複数のデータ線を含む表示装置の駆動方法であって、前記データ線に第１データ電圧を充電し、前記充電段階以降に前記第２サブ画素に第２データ電圧を印加し、前記第２データ電圧印加段階以降に前記第１サブ画素に前記第１データ電圧を印加し、前記各画素の第１及び第２サブ画素に各々印加される前記第１及び第２データ電圧は一つの映像情報から得られ、前記第１データ電圧は前記第２データ電圧より低くない。
【００２３】
前記充電段階以前に前記第１及び第２サブ画素にインパルスデータ電圧を印加する段階をさらに含むことがのぞましい。
【００２４】
前記インパルスデータ電圧印加段階は、前記データ線を互いに接続する段階を含むことがのぞましい。
【００２５】
前記インパルスデータ電圧印加は、前記インパルスデータ電圧を複数の画素行の第１及び第２サブ画素に同時に印加することがのぞましい。
【００２６】
前記第１データ電圧印加は、前記第１ゲート線に第１ゲートオン電圧を印加し、前記第２ゲート線にゲートオフ電圧を印加し、前記第２データ電圧印加は、前記第２ゲート線に第２ゲートオン電圧を印加し、前記第１ゲート線に前記第１ゲートオン電圧を印加することがのぞましい。
【００２７】
前記第２データ電圧印加段階の第１及び第２ゲートオン電圧の印加時間は少なくとも一部分が重畳することがのぞましい。
【００２８】
前記充電段階は少なくとも２水平周期ごとに行われることがのぞましい。
【００２９】
互いに異なる第１及び第２階調電圧集合を生成し、前記第１及び第２階調電圧集合のうちのいずれか一つを選択し、及び前記選択段階において、前記第１階調電圧集合が選択されれば、前記第１階調電圧集合を参照して前記第１データ電圧を生成し、前記第２階調電圧集合が選択されれば、前記第２階調電圧集合を参照して前記第２データ電圧を生成することがのぞましい。
【発明の効果】
【００３０】
本発明によれば、インパルス映像を挿入することによってブラリング現象を防止することができ、全ての画素行の充電条件を同一にすることによって横線不良現象を防止することができる。
【発明を実施するための最良の形態】
【００３１】
添付した図面を参照して、本発明の実施形態について本発明の属する技術分野における通常の知識を有する者が容易に実施できるように詳細に説明する。
【００３２】
図面において、いろいろな層及び領域を明確に表現するために厚さを拡大して示した。明細書全体にわたって類似な部分については同一の図面符号を付けた。層、膜、領域、板などの部分が他の部分の「上」にあるとする時、これは他の部分の「すぐ上」にある場合だけでなく、その中間に他の部分がある場合も含む。逆に、ある部分が他の部分の「すぐ上」にあるとする時には、中間に他の部分がないことを意味する。
【００３３】
以下、本発明の実施形態による液晶表示装置について図面を参照して詳細に説明する。
【００３４】
図１Ａ乃至図１Ｃは本発明の一実施形態による液晶表示装置のブロック図であり、図２は本発明の一実施形態による液晶表示装置の一つの画素に対する等価回路図であり、図３は本発明の一実施形態による液晶表示装置の一つのサブ画素に対する等価回路図である。
【００３５】
図１Ａ乃至図１Ｃを参照すれば、本発明の一実施形態による液晶表示装置は、液晶表示板組立体（液晶パネルアセンブリ、ｌｉｑｕｉｄ  ｃｒｙｓｔａｌ  ｐａｎｅｌ  ａｓｓｅｍｂｌｙ）３００と、これに接続された一対または一つのゲート駆動部４００ａ、４００ｂ、４００、及びデータ駆動部５００、データ駆動部５００に接続された階調電圧生成部（Ｇｒａｙ  Ｖｏｌｔａｇｅ  Ｇｅｎｅｒａｔｏｒ）８００、並びにこれらを制御する信号制御部６００を含む。
【００３６】
液晶表示板組立体３００は、等価回路から見れば、複数の表示信号線Ｇ１ａ〜Ｇｎｂ、Ｄ１〜Ｄｍと、これに接続されていて、ほぼ行列状に配列された複数の画素ＰＸとを含む。一方、図３に示した構造から見れば、液晶表示板組立体３００は、互いに対向する下部及び上部表示板１００、２００と、両者の間に入っている液晶層３とを含む。
【００３７】
表示信号線Ｇ１ａ〜Ｇｎｂ、Ｄ１〜Ｄｍは下部表示板１００に備えられていて、ゲート信号（「走査信号」とも言う）を伝達する複数のゲート線Ｇ１ａ〜Ｇｎｂと、データ信号（またはデータ電圧）を伝達するデータ線Ｄ１〜Ｄｍとを含む。ゲート線Ｇ１ａ〜Ｇｎｂはほぼ行方向にのびていて、互いにほぼ平行であり、データ線Ｄ１〜Ｄｍはほぼ列方向にのびていて、互いにほぼ平行である。
【００３８】
図２には表示信号線と一つの画素ＰＸの等価回路が示されているが、図面符号ＧＬａ、ＧＬｂで示したゲート線と図面符号ＤＬで示したデータ線以外にも、表示信号線はゲート線ＧＬａ、ＧＬｂとほぼ並列して配置された蓄積電極線ＳＬをさらに含む。
【００３９】
各画素ＰＸは一対のサブ画素ＰＸａ、ＰＸｂを含み、各サブ画素ＰＸａ／ＰＸｂは、ゲート線ＧＬａ／ＧＬｂ及びデータ線ＤＬに接続されているスイッチング素子Ｑａ／Ｑｂと、これに接続された液晶キャパシタ（ｌｉｑｕｉｄ  ｃｒｙｓｔａｌ  ｃａｐａｃｉｔｏｒ）Ｃｌｃａ／Ｃｌｃｂと、スイッチング素子Ｑａ／Ｑｂ及び蓄積電極線ＳＬに接続されているストレージキャパシタ（ｓｔｏｒａｇｅ  ｃａｐａｃｉｔｏｒ）Ｃｓｔａ／Ｃｓｔｂとを含む。
【００４０】
図３を参照すれば、各サブ画素ＰＸａ、ＰＸｂのスイッチング素子Ｑは、下部表示板１００に備えられている薄膜トランジスタなどの三端子素子であって、その制御端子はゲート線ＧＬに接続されており、入力端子はデータ線ＤＬと接続されており、出力端子は液晶キャパシタＣｌｃ及びストレージキャパシタＣｓｔと接続されている。
【００４１】
液晶キャパシタＣｌｃは、下部表示板１００のサブ画素電極ＰＥと上部表示板２００の共通電極ＣＥとを二つの端子とし、二つの電極ＰＥ、ＣＥの間の液晶層３は誘電体として機能する。サブ画素電極ＰＥはスイッチング素子Ｑに接続され、共通電極ＣＥは上部表示板２００の全面に形成されていて、共通電圧Ｖｃｏｍが印加される。図３とは異なり、共通電極ＣＥが下部表示板１００に備えられる場合もあり、この時には二つの電極ＰＥ、ＣＥのうちの少なくとも一つが線状または棒状であってもよい。液晶層３は負の誘電率異方性を有し、液晶層３の液晶分子は、電場がない状態でその長軸が二つの表示板の表面に対して垂直または水平をなすように配向されていてもよい。以下、サブ画素ＰＸａのサブ画素電極をＰＥａに、サブ画素ＰＸｂのサブ画素電極をＰＥｂに表示する。
【００４２】
液晶キャパシタＣｌｃの補助的な役割を果たすストレージキャパシタＣｓｔは、下部表示板１００に具備された蓄積電極線ＳＬとサブ画素電極ＰＥとが絶縁体を介在して重なっており、蓄積電極線ＳＬには共通電圧Ｖｃｏｍなどの決められた電圧が印加される。しかし、ストレージキャパシタＣＳＴは、サブ画素電極ＰＥが絶縁体を介在させてすぐ上の前段ゲート線と重なってもよい。
【００４３】
一方、色表示を実現するためには各画素ＰＸが基本色（ｐｒｉｍａｒｙ  ｃｏｌｏｒ）のうちの一つを固有に表示したり（空間分割）、各画素（ＰＸ）が時間によって交互に基本色を表示するように（時間分割）して、これら基本色の空間的、時間的合計によって所望の色相が認識されるようにする。基本色の例としては、赤色、緑色、青色など三原色がある。図３は、空間分割の一例として、各画素ＰＸがサブ画素電極ＰＥａ、ＰＥｂに対応する上部表示板２００の領域に基本色のうちの一つを示すカラーフィルタＣＦを備えることを示している。図３とは異なって、カラーフィルタＣＦは下部表示板１００のサブ画素電極ＰＥａ、ＰＥｂ上、または下に形成することもできる。
【００４４】
液晶表示板組立体３００の外側面には光を偏光させる少なくとも一つの偏光板（図示せず）が付着されており、二つの偏光板の偏光軸は直交し得る。反射型液晶表示装置の場合には二つの偏光板のうちの一つが省略され得る。直交偏光板である場合、電場がない液晶層３に入った入射光を遮断する。
【００４５】
図１Ａ乃至図１Ｃを参照すれば、ゲート駆動部４００ａ、４００ｂ、４００はゲート線Ｇ１ａ〜Ｇｎｂに接続され、外部からのゲートオン電圧Ｖｏｎとゲートオフ電圧Ｖｏｆｆとの組み合わせからなるゲート信号をゲート線Ｇ１ａ〜Ｇｎｂに印加する。図１Ａには一対のゲート駆動部４００ａ、４００ｂが各々液晶表示板組立体３００の左右に位置し、奇数番目及び偶数番目ゲート線Ｇ１ａ〜Ｇｎｂに各々接続され、図１Ｂ及び図１Ｃに示した一つのゲート駆動部４００は液晶表示板組立体３００の一方に位置し、全てのゲート線Ｇ１ａ〜Ｇｎｂに接続されているが、図１Ｃの場合、ゲート駆動部４００内に二つの駆動回路４０１、４０２が内蔵されていて、各々奇数番目及び偶数番目ゲート線Ｇ１ａ〜Ｇｎｂに接続される。
【００４６】
階調電圧生成部８００は、画素ＰＸの透過率に関係する二つの階調電圧集合（または基準階調電圧集合）を生成する。二つの（基準）階調電圧集合は一つの画素ＰＸをなす二つのサブ画素ＰＸａ、ＰＸｂに独立的に提供されるものであって、互いに異なるガンマ曲線に基づいて生成され、各（基準）階調電圧集合は共通電圧Ｖｃｏｍに対して正の値を有するものと負の値を有するものとを含む。しかし、二つの（基準）階調電圧集合の代わりに一つの（基準）階調電圧集合のみを生成することもできる。階調電圧生成部８００は、選択信号ＳＥによって二つの（基準）階調電圧集合のうちの一つを選択して送出するアナログスイッチ（図示せず）を含む。しかし、これとは異なって、アナログスイッチは液晶表示板組立体３００に集積されるか、またはデータ駆動部５００内に統合してもよい。
【００４７】
二つの（基準）階調電圧集合のうちの一つの電圧の大きさは、他の一つの電圧の大きさより小さく、小さい方がサブ画素電極ＰＥｂに対応し、大きい方がサブ画素電極ＰＥａに対応する。階調電圧生成部８００は、選択信号ＳＥがローレベルであればサブ画素ＰＸｂ用（基準）階調電圧集合を送出し、ハイレベルであればサブ画素ＰＸａ用（基準）階調電圧集合を送出する。
【００４８】
データ駆動部５００は液晶表示板組立体３００のデータ線Ｄ１〜Ｄｍと接続されており、階調電圧生成部８００からの階調電圧集合に属する一つの階調電圧をデータ信号としてデータ線Ｄ１〜Ｄｍに印加したり、階調電圧生成部８００からの二つの階調電圧集合のうちの一つを選択し、選択された階調電圧集合に属する一つの階調電圧をデータ信号としてデータ線Ｄ１〜Ｄｍに印加する。しかし、階調電圧生成部８００が全ての階調に対する電圧を全て提供することではなく、決められた数の基準階調電圧のみを提供する場合に、データ駆動部５００は基準階調電圧を分圧して全体階調に対する階調電圧を生成し、この中からデータ信号を選択する。
【００４９】
信号制御部６００は、ゲート駆動部４００、データ駆動部５００及び階調電圧生成部８００などを制御する。
【００５０】
このような駆動装置４００ａ、４００ｂ、４００、５００、６００、８００各々は、少なくとも一つの集積回路チップの形態で液晶表示板組立体３００上に直接装着されたり、フレキシブルプリント回路フィルム（ｆｌｅｘｉｂｌｅ  ｐｒｉｎｔｅｄ  ｃｉｒｃｕｉｔ  ｆｉｌｍ）（図示せず）上に装着されてＴＣＰ（ｔａｐｅ  ｃａｒｒｉｅｒ  ｐａｃｋａｇｅ）の形態で液晶表示板組立体３００に装着されたり、別途のプリント回路基板（ｐｒｉｎｔｅｄ  ｃｉｒｃｕｉｔ  ｂｏａｒｄ）（図示せず）上に装着されてもよい。これとは異なって、これら駆動装置４００ａ、４００ｂ、４００、５００、６００、８００が液晶表示板組立体３００に複数の駆動回路形態で集積されてもよい。また、駆動装置４００ａ、４００ｂ、４００、５００、６００、８００は単一チップに集積でき、この場合に、これらのうちの少なくとも一つまたはこれらをなす少なくとも一つの回路素子は単一チップの外側にあってもよい。
【００５１】
次に、このような液晶表示装置の動作について詳細に説明する。
【００５２】
信号制御部６００は、外部のグラフィック制御機（図示せず）から入力映像信号Ｒ、Ｇ、Ｂ及びその表示を制御する入力制御信号を受信する。入力映像信号Ｒ、Ｇ、Ｂは各画素ＰＸの輝度（ｌｕｍｉｎａｎｃｅ）情報を含んでおり、輝度は決められた数、例えば、１０２４（＝２１０）、２５６（＝２８）または６４（＝２６）個の階調（ｇｒａｙ）を有している。入力制御信号の例としては、垂直同期信号Ｖｓｙｎｃ、水平同期信号Ｈｓｙｎｃ、メインクロックＭＣＬＫ、及びデータイネーブル信号ＤＥなどがある。
【００５３】
信号制御部６００は、入力映像信号Ｒ、Ｇ、Ｂと入力制御信号とに基づいて入力映像信号Ｒ、Ｇ、Ｂを液晶表示板組立体３００及びデータ駆動部５００の動作条件に合うように適切に処理し、ゲート制御信号ＣＯＮＴ１、データ制御信号ＣＯＮＴ２及び選択信号ＳＥなどを生成した後、ゲート制御信号ＣＯＮＴ１をゲート駆動部４００に送出し、データ制御信号ＣＯＮＴ２と処理した映像信号ＤＡＴをデータ駆動部５００に出力し、選択信号ＳＥを階調電圧生成部８００に送出する。出力映像信号ＤＡＴはデジタル信号として決められた数の値（または階調）を有し、入力映像信号Ｒ、Ｇ、Ｂに基づいて作りだした正規映像データとインパルス駆動のためのインパルスデータとを含む。インパルスデータの階調値は該当画素ＰＸの正規映像データの階調値より小さく、場合によってインパルスデータは一定の階調を有することもできる。一定の階調は最も低い階調であるか、或いはブラックまたは所定範囲の輝度を出す所定レベルの階調であり得る。
【００５４】
ゲート制御信号ＣＯＮＴ１は、走査開始を指示する走査開始信号ＳＴＶ、ゲートオン電圧Ｖｏｎの出力時期を制御する少なくとも一つのゲートクロック信号ＣＰＶ、及びゲートオン電圧Ｖｏｎの持続時間を限定する少なくとも一つの出力イネーブル信号ＯＥを含む。
【００５５】
データ制御信号ＣＯＮＴ２は、一つの画素行の出力映像信号ＤＡＴの伝送開始を知らせる水平同期開始信号ＳＴＨと、液晶表示板組立体３００にデータ信号の印加を指示するロード信号ＬＯＡＤ、及びデータクロック信号ＨＣＬＫを含む。データ制御信号ＣＯＮＴ２は、また、共通電圧Ｖｃｏｍに対するデータ信号の電圧極性（以下、「共通電圧に対するデータ信号の電圧極性」を略して「データ信号の極性」と言う。）を反転させる極性信号ＰＯＬをさらに含む。
【００５６】
信号制御部６００は、Ｍ個群の入力映像信号Ｒ、Ｇ、ＢをＭ個群の正規映像データに変換し、一群のインパルスデータを生成する。Ｍ個群の入力映像信号Ｒ、Ｇ、Ｂが入力される時間と、（Ｍ＋１）個群の出力映像信号ＤＡＴとを送出する時間は実質的に同一である（Ｍは自然数）。従って、水平同期開始信号ＳＴＨの周波数は、水平同期信号Ｈｓｙｎｃの周波数の（Ｍ＋１）／Ｍ倍となる。また、出力映像信号ＤＡＴが同期されるデータクロック信号ＨＣＬＫの周波数は、入力映像信号Ｒ、Ｇ、Ｂが同期されるメインクロックＭＣＬＫの周波数の（Ｍ＋１）／Ｍ倍であり得る。
【００５７】
信号制御部６００からのデータ制御信号ＣＯＮＴ２により、データ駆動部５００は一つの行の画素ＰＸに対する出力映像信号ＤＡＴを受信し、各出力映像信号ＤＡＴに対応する階調電圧を選択することによってデジタル映像信号ＤＡＴをアナログデータ電圧に変換した後、これを該当データ線に印加する。
【００５８】
このようなデータ駆動部５００について、図４を参照してより詳細に説明する。
【００５９】
図４は図１に示した液晶表示装置のデータ駆動部の一例を示したブロック図である。
【００６０】
データ駆動部５００は図４に示したデータ駆動ＩＣ５４０を少なくとも一つ含み、データ駆動ＩＣ５４０は、順次に接続されているシフトレジスタ５４１、ラッチ５４３、デジタル−アナログ変換器５４５、及びバッファー５４７を含む。
【００６１】
シフトレジスタ５４１は、水平同期開始信号ＳＴＨが印加されれば、データクロック信号ＨＣＬＫによって入力された映像データＤＡＴを順次にシフトさせ、ラッチ５４３に伝達する。データ駆動部５００が複数のデータ駆動ＩＣ５４０を含む場合、シフトレジスタ５４１は、シフトレジスタ５４１が担当する映像データＤＡＴを全てシフトさせた後に、シフトクロック信号ＳＣを隣接するデータ駆動ＩＣのシフトレジスタに送出する。
【００６２】
ラッチ５４３は、第１及び第２ラッチ（図示せず）を含む。第１ラッチはシフトレジスタ５４１から映像データＤＡＴを順次に受信して記憶し、第２ラッチはロード信号ＬＯＡＤによって第１ラッチから映像データＤＡＴを同時に受信して記憶し、これをデジタル−アナログ変換器５４５に送出する。
【００６３】
デジタル−アナログ変換器５４５は、ラッチ５４３からのデジタル映像データＤＡＴをアナログデータ電圧に変換し、バッファー５４７に送出する。データ電圧は、極性信号ＰＯＬによって共通電圧Ｖｃｏｍに対し正の値を有するかまたは負の値を有する。
【００６４】
バッファー５４７は、デジタル−アナログ変換器５４５からのデータ電圧を出力端子Ｙ１〜Ｙｒを通じて送出する。隣接する出力端子Ｙ１〜Ｙｒを通じて出力されるデータ電圧の極性は互いに異なる。出力端子Ｙ１〜Ｙｒは該当データ線Ｄ１〜Ｄｍに接続される。
【００６５】
ゲート駆動部４００は、信号制御部６００からのゲート制御信号ＣＯＮＴ１によってゲートオン電圧Ｖｏｎをゲート線に印加し、このゲート線に接続されたスイッチング素子をターンオンさせる。そうすると、データ線に印加されたデータ信号がターンオンされたスイッチング素子を通じて該当サブ画素ＰＸａ、ＰＸｂに印加される。
【００６６】
一つの画素ＰＸに含まれている一対のサブ画素電極ＰＥａ、ＰＥｂは、互いに異なる時間に同一のデータ線を通じて別個のデータ電圧の印加を受け、サブ画素電極ＰＥａの面積はサブ画素電極ＰＥｂの面積より小さく、サブ画素電極ＰＥａの電圧はサブ画素電極ＰＥｂの電圧より高い。
【００６７】
このように液晶キャパシタＣｌｃａ、Ｃｌｃｂの両端に電位差が生じると、表示板１００、２００の表面にほぼ垂直である電場（電界）（ｅｌｅｃｔｒｉｃ  ｆｉｅｌｄ）が液晶層３に生成される。そうすると、液晶層３の液晶分子は電場に応答してその長軸が電場の方向に垂直をなすように傾斜し、液晶分子が傾斜した程度によって液晶層３への入射光の偏光の変化程度が変わる。このような偏光の変化は、偏光板によって透過率の変化として現れ、これを通じて液晶表示装置は映像を表示する。
【００６８】
液晶分子が傾斜する角度は電場の強さによって変わるが、二つの液晶キャパシタＣｌｃａ、Ｃｌｃｂの電圧が互いに異なるので、液晶分子が傾斜した角度が異なり、そのため二つのサブ画素ＰＸａ、ＰＸｂの輝度が異なる。従って、液晶キャパシタＣｌｃａの電圧と液晶キャパシタＣｌｃｂの電圧とを適切に合せれば、側面から見る映像を正面から見る映像に最大限近くすることができ、つまり、側面ガンマ曲線を正面ガンマ曲線に最大限近くすることができ、これによって側面視認性を向上することができる。
【００６９】
また、高い電圧が印加されるサブ画素電極ＰＥａの面積をサブ画素電極ＰＥｂの面積より小さくすれば、側面ガンマ曲線を正面ガンマ曲線にさらに近くすることができる。特に、サブ画素電極ＰＥａ、ＰＥｂの面積比をほぼ１:２とすれば、側面ガンマ曲線が正面ガンマ曲線により一層近くなって、側面視認性がさらに良くなる。
【００７０】
１水平周期（「１Ｈ」とも記す。）（水平同期開始信号ＳＴＨの１周期）を単位としてこのような過程を繰り返すことにより、全てのサブ画素ＰＸａ、ＰＸｂにデータ電圧を印加して１フレームの正規映像及びインパルス映像を表示する。
【００７１】
液晶表示装置は、正規映像を第１画素行から下に一つの画素行ずつ順次に表示し、Ｍ個の画素行に正規映像を表示した以降に、インパルス映像を１Ｈ内でｋ番目画素行からＭ個の画素行に同時に表示する。これを１フレームの間に繰り返せば、ｋ個の画素行の幅を有するインパルス映像帯（ｂａｎｄ）が回転するように見える。必要に応じて正規映像及びインパルス映像を下から開始して上側方向に表示することもできる。
【００７２】
１フレームが終了すれば、次のフレームが始まり、各サブ画素ＰＸａ、ＰＸｂに印加されるデータ電圧の極性が以前フレームでの極性と反対になるようにデータ駆動部５００に印加される極性信号ＰＯＬの状態が制御される。また、１フレーム内でも行反転、点反転、列反転などの極性反転方式によって、データ駆動部５００に印加される極性信号ＰＯＬの状態が制御される。
【００７３】
では、本発明の一実施形態による液晶表示装置の駆動方法について、図５乃至図７を参照してより詳細に説明する。
【００７４】
図５は本発明の一実施形態による液晶表示装置の駆動信号を示したタイミング図であり、図６は図５のタイミング図の一部を拡大して示したタイミング図であり、図７は図５に示した駆動信号によって表示される画像を１フレームの間に示した概略図である。
【００７５】
本実施形態においては、一例として、Ｍが４である場合、つまり、信号制御部６００が４個群の入力映像信号Ｒ、Ｇ、Ｂを４個群の正規映像データに変換し、一群のインパルスデータＢＤを生成することと説明する。従って、４個の画素行を基準として正規映像データを順次に表示し、インパルスデータを一度に表示する。
【００７６】
まず、信号制御部６００は、第１行の画素ＰＸに対する正規映像データＤ１をデータ駆動部５００に送出する。データ駆動部５００は、シフトレジスタ５４１を通じて正規映像データＤ１を順次に受け、これをラッチ５４３に保存する。信号制御部６００は、正規映像データＤ１の伝送を完了すれば、ロード信号ＬＯＡＤをハイレベルに変え、これによってデータ駆動部６００は正規映像データＤ１に対するデータ電圧を該当データ線に印加する。そして、信号制御部６００は、選択信号ＳＥをローレベルに変え、データ駆動部５００がサブ画素ＰＸｂ用（基準）階調電圧集合を参照してサブ画素ＰＸｂ用データ電圧を生成するようにする。
【００７７】
一方、図５及び図６に示したように、データ駆動部５００がデータ電圧をデータ線Ｄ１〜Ｄｍに印加しても、データ線Ｄ１〜Ｄｍに充電されるデータ線電圧Ｖｄａｔはデータ線Ｄ１〜ＤｍのＲＣ遅延によってデータ電圧を印加した直後にはデータ電圧と異なる。従って、データ線電圧Ｖｄａｔがデータ電圧と近くなる適切な時間が経過した後に、ゲート駆動部４００はゲート線Ｇ１ａ、Ｇ１ｂにゲートオン電圧Ｖｏｎを印加して、これらに各々接続されているスイッチング素子Ｑａ、Ｑｂをターンオンさせる。そうすると、サブ画素ＰＸｂ用データ電圧が該当サブ画素電極ＰＥａ、ＰＥｂに印加される。しかし、選択信号ＳＥがハイレベルからローレベルに変わる時間にゲートオン電圧Ｖｏｎを印加することができ、この二つの時間の間でゲートオン電圧Ｖｏｎを印加することもできる。
【００７８】
所定時間が経過した後、信号制御部６００は選択信号ＳＥをハイレベルに作り、これによってデータ駆動部６００はサブ画素ＰＸａ用（基準）階調電圧集合を参照してサブ画素ＰＸａ用データ電圧を生成した後、該当データ線に印加する。これと同時に、ゲート駆動部４００はゲート線Ｇ１ｂにゲートオフ電圧Ｖｏｆｆを印加する。しかし、ゲート駆動部４００はゲート線Ｇ１ａに印加されているゲートオン電圧Ｖｏｎを維持する。そうすると、スイッチング素子Ｑｂはターンオンの状態を維持し、サブ画素ＰＸａ用データ電圧は該当サブ画素電極ＰＥａに印加される。
【００７９】
このようにサブ画素ＰＸａに印加されるゲートオン電圧Ｖｏｎを、サブ画素ＰＸｂに印加されるゲートオン電圧Ｖｏｎと重畳するようにすれば、サブ画素ＰＸａの充電率を高めることができる。ここで、サブ画素ＰＸａにゲートオン電圧Ｖｏｎが印加される時点は、サブ画素ＰＸｂにゲートオン電圧Ｖｏｎが印加される時点と必ず一致する必要はない。
【００８０】
また、相対的に低いサブ画素ＰＸｂ用データ電圧をまずサブ画素ＰＸｂに充電した後、相対的に高いサブ画素ＰＸａ用データ電圧をサブ画素ＰＸａに充電すれば、これと反対に充電することと比べ、充電時間を減らすことができる。
【００８１】
信号制御部６００、データ駆動部６００及びゲート駆動部４００は第２乃至第４行の画素ＰＸに対し、前述した動作を繰り返す。
【００８２】
ここで、信号制御部６００は、極性信号ＰＯＬを毎フレームごとにハイレベルとローレベルに交互に変えて列反転駆動を行う。従って、一つのデータ線を流れるデータ電圧の極性は同一である。しかし、これに限定されるわけではなく、行反転及び点反転駆動を行うこともできる。
【００８３】
信号制御部６００は、図６に示したように、区間ＴＡで第４行の画素ＰＸにデータ電圧が充電される間にインパルスデータＢＤをデータ駆動部６００に送出する。信号制御部６００は、インパルスデータＢＤの伝送を完了すれば、区間ＴＢでロード信号ＬＯＡＤをハイレベルに変え、これによってデータ駆動部６００はインパルスデータＢＤに対するデータ電圧を該当データ線に印加する。インパルスデータＢＤに対するデータ電圧は共通電圧Ｖｃｏｍと同一であり得る。この時、選択信号ＳＥはローレベルであるが、ハイレベルであっても差支えない。
【００８４】
ゲート駆動部４００は、ｋ番目画素行から（ｋ＋３）番目画素行のゲート線Ｇｋａ〜Ｇｋ＋３ｂにゲートオン電圧Ｖｏｎを同時に印加し、これらに接続されているスイッチング素子Ｑａ、Ｑｂをターンオンさせる。そうすると、インパルスデータＢＤに対するデータ電圧が該当サブ画素電極ＰＥａ、ＰＥｂに印加されてインパルス映像を表示する。
【００８５】
また、信号制御部６００は、区間ＴＢで第５行の画素ＰＸに対する正規映像データＤ５をデータ駆動部５００に送出する。一方、１水平周期は、一つの行の画素ＰＸに対する映像データを実際に伝送するデータ伝送区間と、伝送が完了した後から次行の画素ＰＸに対する映像データを伝送する前までのブランク区間とに分れる。信号制御部６００は、区間ＴＢのブランク区間で再びロード信号ＬＯＡＤをハイレベルに変え、選択信号ＳＥをハイレベルに変える。これによって、データ駆動部５００は、サブ画素ＰＸａ用（基準）階調電圧集合を参照して正規映像データＤ５に対するデータ電圧を生成し、該当データ線に印加する。しかし、区間ＴＢのデータ伝送区間で選択信号ＳＥがハイレベルを維持すれば、信号制御部６００は区間ＴＢのブランク区間でも選択信号ＳＥがハイレベルを維持し続けるようにする。
【００８６】
信号制御部６００は、区間ＴＣが開示すれな選択信号ＳＥをローレベルに変える。これによって、データ駆動部５００はサブ画素ＰＸｂ用（基準）階調電圧集合を参照して正規映像データＤ５に対するデータ電圧を生成し、これを該当データ線に印加する。ゲート駆動部４００は第５画素行のゲート線Ｇ５ａ、Ｇ５ｂにゲートオン電圧Ｖｏｎを印加し、これらに各々接続されているスイッチング素子Ｑａ、Ｑｂをターンオンさせる。そうすると、サブ画素ＰＸｂ用データ電圧が該当サブ画素電極ＰＥａ、ＰＥｂに印加される。
【００８７】
このように、区間ＴＢのブランク区間で所定時間ΔＴ１の間にサブ画素ＰＸａ用データ電圧を予めデータ線Ｄ１〜Ｄｍに印加して、高い電圧でデータ線Ｄ１〜Ｄｍをプリチャージ（ｐｒｅｃｈａｒｇｅ）させた後に、表示しようとするサブ画素ＰＸｂ用データ電圧を印加すれば、第５画素行のサブ画素ＰＸｂに印加されるデータ線電圧Ｖｄａｔの波形を他の画素行のそれと実質的に同一にすることができる。ゲート駆動部４００が他の画素行のサブ画素ＰＸｂにゲートオン電圧Ｖｏｎを印加する時点を決めることと同一の方式によって、第５行のサブ画素ＰＸｂに対してもゲートオン電圧Ｖｏｎを印加する時点を決めることができる。従って、第５行のサブ画素ＰＸｂにデータ電圧が充電される条件と他の行のサブ画素ＰＸｂにデータ電圧が充電される条件とは同一になる。従って、充電条件が異なるために現われやすい横線不良をなくすことができる。
【００８８】
このような動作を１フレームの間に繰り返して行う。ここで、各区間ＴＡ、ＴＢ、ＴＣは１水平周期と同一の間隔を有する。
【００８９】
図７を参照すれば、１フレームの初期画面には、画面最上部から１／４地点まで以前フレームのインパルス映像が表示されていて、１／４地点の下には以前フレームの正規映像が表示されている。図５の駆動信号においてｋはｎ／４＋１とし、従って、インパルス映像の縦幅は全体画面の縦幅の２５％である。この比率は、一つの画素ＰＸに１フレームの間に表示される映像のうちのインパルス映像比率を意味する。
【００９０】
走査開始信号ＳＴＶによって、第１画素行から下に順次に正規映像が表示され、（ｎ／４＋１）番目の画素行から下に順次にインパルス映像が表示される。１／４フレームが経過すればｎ／４番目画素行まで正規映像が表示され、（１／４＋１）番目画素行からｎ／２番目画素行までインパルス映像が表示される。このように、インパルス映像は以前フレームの正規映像を消しながら表示され、また、正規映像はインパルス映像を消しながら表示される。インパルス映像は２５％の幅を有する帯のように表示され、まるで１フレームの間に上から下に回転するように見える。このように正規映像及びインパルス映像を表示することによって、ブラリングを防止することができる。また、インパルス駆動のための周波数の増加が相対的に少ないので、画素電圧の充電率を高めることができる。
【００９１】
本実施形態においては、４個の画素行を基準として動作を説明したが、これに限定されるわけではなく、任意の数の画素行を基準とすることもできる。
【００９２】
では、本発明の他の実施形態による液晶表示装置の駆動方法について、図８及び図９を参照して詳細に説明する。
【００９３】
図８は本発明の他の実施形態による液晶表示装置の駆動信号を示したタイミング図であり、図９は図８のタイミング図の一部を拡大して示したタイミング図である。
本実施形態においても前述した実施形態と同様に、Ｍが４である場合について説明する。従って、前述した実施形態と同一の動作については詳細な説明を省略し、違いのある部分についてのみ詳細に説明する。
【００９４】
図８に示したように、第１画素行乃至第４画素行の画素ＰＸにデータ電圧を充電する方法は、前述した実施形態と実質的に同一である。
【００９５】
但し、信号制御部６００は、極性信号ＰＯＬを４個の画素行ごとにハイレベルとローレベルに交互に変え、４行反転駆動を行う。これによって一つのデータ線を流れるデータ電圧の極性は４個の画素行ごとに変わる。しかし、これに限定されるわけではなく、任意の数の行反転、列反転及び点反転駆動を行うこともできる。
【００９６】
信号制御部６００は、図９に示したように、区間ＴＤで第４行の画素ＰＸにデータ電圧が充電される間の第５行の画素ＰＸに対する正規映像データＤ５をデータ駆動部６００に送出する。そして、この区間ＴＤで信号制御部６００は、極性信号ＰＯＬをローレベルからハイレベルに、またはハイレベルからローレベルに変える。そして、信号制御部６００は、正規映像データＤ５の伝送を完了すれば、ロード信号ＬＯＡＤをハイレベルに変える。
【００９７】
一方、データ駆動部５００をなす図４に示したデータ駆動ＩＣ５４０は、１水平周期内で極性信号ＰＯＬのレベルが変化した後にロード信号ＬＯＡＤがハイレベルに変われば、全ての出力端子Ｙ１〜Ｙｒを内部で互いに接続する。全ての出力端子Ｙ１〜Ｙｒが接続されれば、該当データ線に印加されていた正極性及び負極性のデータ線電圧Ｖｄａｔが互いに接続され、全ての出力端子Ｙ１〜Ｙｒには正極性と負極性データ線電圧Ｖｄａｔの中間値であるほぼ共通電圧Ｖｃｏｍのレベルを有する電荷共有電圧がかかるようになる。そして、このような状態でロード信号ＬＯＡＤが再びローレベルに変われば、ラッチ５４３に記憶されている映像データＤＡＴをデータ電圧に変換して出力端子Ｙ１〜Ｙｒに送出する。
【００９８】
従って、図９に示したように、区間ＴＥでのデータ線電圧Ｖｄａｔは電荷共有電圧に起因する。ゲート駆動部４００はｋ番目画素行からｋ＋３番目画素行のゲート線Ｇｋａ〜Ｇｋ+３ｂにゲートオン電圧Ｖｏｎを同時に印加し、これらに接続されているスイッチング素子Ｑａ、Ｑｂをターンオンさせる。そうすると、電荷共有電圧が該当サブ画素電極ＰＥａ、ＰＥｂに印加されてインパルス映像を表示する。
【００９９】
ところが、信号制御部６００は新たな水平周期、つまり、区間ＴＥが開始しても映像データＤＡＴの伝送開始を知らせる水平同期開始信号ＳＴＨのパルスをデータ駆動部５００に送出しない。図９に点線で表示されているパルスは、このように省略された水平同期開始信号ＳＴＨのパルスを示す。従って、データ駆動部５００は信号制御部６００からインパルスデータＢＤを受けず、ラッチ５４３に記憶されている映像データＤＡＴ´は以前水平周期で受けた正規映像データＤ５になる。この時、信号制御部６００からデータ駆動部５００にインパルスデータＢＤを伝送するか否かは選択的であり、信号制御部６００がインパルスデータＢＤを伝送しても、これを別途に生成する必要がなく、任意のダミーデータを伝送すればよい。
【０１００】
区間ＴＥで所定時間が経過すれば、信号制御部６００はロード信号ＬＯＡＤをローレベルに変える。これによって、データ駆動部５００は正規映像データＤ５に対するデータ電圧を生成し、該当データ線に印加する。この時、選択信号ＳＥはハイレベルでなければならず、そのためデータ駆動部５００はサブ画素ＰＸａ用（基準）階調電圧集合を参照する。
【０１０１】
区間ＴＦが開始すれば、信号制御部６００はロード信号ＬＯＡＤをハイレベルに変え、選択信号ＳＥをローレベルに変える。これによって、データ駆動部５００はサブ画素ＰＸｂ用（基準）階調電圧集合を参照して正規映像データＤ５をデータ電圧に変換し、該当データ線に印加する。ゲート駆動部４００は第５画素行のゲート線Ｇ５ａ、Ｇ５ｂにゲートオン電圧Ｖｏｎを印加し、これらに各々接続されているスイッチング素子Ｑａ、Ｑｂをターンオンさせる。そうすると、サブ画素ＰＸｂ用データ電圧が該当サブ画素電極ＰＥａ、ＰＥｂに印加される。
【０１０２】
このように、区間ＴＥで所定時間ΔＴ２の間にサブ画素ＰＸａ用データ電圧を予めデータ線Ｄ１〜Ｄｍに印加して、高い電圧でデータ線Ｄ１〜Ｄｍをプリチャージさせた後に、表示しようとするサブ画素ＰＸｂ用データ電圧を印加すれば、第５画素行のサブ画素ＰＸｂに印加されるデータ線電圧Ｖｄａｔの波形と他の画素行のそれとは実質的に同一になって充電条件が同一になる。従って、充電条件が異なるために現われやすい横線不良をなくすことができる。また、データ駆動部５００の電荷共有機能を利用してインパルス映像を表示し、水平同期開始信号ＳＴＨのパルスを省略することにより、区間ＴＥの全体をブランク区間として使用することができる。従って、所定時間ΔＴ２を十分に長くすることができるので、充電条件を同一にするのにさらに有利である。
【０１０３】
このような動作を１フレームの間に繰り返して行う。ここで、各区間ＴＤ、ＴＥ、ＴＦは１水平周期と同一の間隔を有する。
【０１０４】
このような駆動方法によって表示される画面も、前述した実施形態と同様に図７に示した画面と同一である。
【０１０５】
本実施形態においても、４個の画素行を基準として動作を説明したが、これに限定されるわけではなく、任意の数の画素行を基準とすることができる。
【０１０６】
以上、本発明の好ましい実施形態について詳細に説明したが、本発明の権利範囲はこれに限定されるわけではなく、添付した請求範囲で定義している本発明の基本概念を利用した当業者の種々の変形及び改良形態も本発明の権利範囲に属するものである。
【図面の簡単な説明】
【０１０７】
【図１Ａ】本発明の一実施形態による液晶表示装置のブロック図である。
【図１Ｂ】本発明の一実施形態による液晶表示装置のブロック図である。
【図１Ｃ】本発明の一実施形態による液晶表示装置のブロック図である。
【図２】本発明の一実施形態による液晶表示装置の一つの画素に対する等価回路図である。
【図３】本発明の一実施形態による液晶表示装置の一つのサブ画素に対する等価回路図である。
【図４】図１Ａ〜図１Ｃに示した液晶表示装置のデータ駆動部の一例を示したブロック図である。
【図５】本発明の一実施形態による液晶表示装置の駆動信号を示したタイミング図である。
【図６】図５のタイミング図の一部を拡大して示したタイミング図である。
【図７】図５に示した駆動信号によって表示される画像を１フレームの間に示した概略図である。
【図８】本発明の他の実施形態による液晶表示装置の駆動信号を示したタイミング図である。
【図９】図８のタイミング図の一部を拡大して示したタイミング図である。
【符号の説明】
【０１０８】
１００  下部表示板
２００  上部表示板
３００  液晶表示板組立体
４００ａ、４００ｂ、４００  ゲート駆動部
５００  データ駆動部
６００  信号制御部 
８００  階調電圧生成部
ＰＸ  画素
ＰＸａ、ＰＸｂ  サブ画素
ＰＥ  サブ画素電極
ＣＥ  共通電極
ＧＬａ、ＧＬｂ  ゲート線
Ｑａ、Ｑｂ  スイッチング素子
ＳＬ  蓄積電極線
Ｃｌｃａ、Ｃｌｃｂ 液晶キャパシタ
Ｃｓｔａ／Ｃｓｔｂ  ストレージキャパシタ
【図１Ａ】
0005419321.tif 000002
【図１Ｂ】
0005419321.tif 000003
【図１Ｃ】
0005419321.tif 000004
【図２】
0005419321.tif 000005
【図３】
0005419321.tif 000006
【図４】
0005419321.tif 000007
【図５】
0005419321.tif 000008
【図６】
0005419321.tif 000009
【図７】
0005419321.tif 000010
【図８】
0005419321.tif 000011
【図９】
0005419321.tif 000012